(57)【要約】【課題】良好な放熱性を有し、かつ光度軸の設計が容易な発光素子ユニットを提供すること。【解決手段】ＬＥＤチップ８と、ＬＥＤチップ８の光軸Ｆの基点Ｏから当該光軸Ｆと異なる方向に延びる軸を中心光軸とする第１光軸形成反射面３０、３１、３２、及び第２光軸形成反射面４０、４１、４２を、回転放物面Ｈ１、Ｈ２の一部で形成したＬＥＤユニット１を構成した。【選択図】図１
2015090768.tif 000002
【特許請求の範囲】
【請求項１】
発光素子と、前記発光素子の光軸の基点から当該光軸と異なる方向に延びる軸を中心光軸とする反射鏡の反射面を、回転放物面の一部で形成したことを特徴とする発光素子ユニット。
【請求項２】
前記回転放物面の一部で形成された反射面の焦点を前記発光素子の発光部の中心に合わせたことを特徴とする請求項１に記載の発光素子ユニット。
【請求項３】
前記中心光軸を同じくしつつ前記回転放物面が異なる複数の反射鏡の反射面を備えることを特徴とする請求項１又は２に記載の発光素子ユニット。
【請求項４】
前記回転放物面を、底部が前記発光部を横断するように設定したことを特徴とする請求項１〜３のいずれかに記載の発光素子ユニット。
【請求項５】
前記発光素子の左右のそれぞれに、前記回転放物面の一部から成る反射面を設け、
前記発光素子の直射光と、左右の前記反射面とで前記発光素子の左右に延びる横長の照射領域を照射することを特徴とする請求項１〜４のいずれかに記載の発光素子ユニット。
【請求項６】
前記発光素子の左右のそれぞれに、前記反射鏡の反射面の中心光軸の方向と反対方向に延びる中心光軸とした回転放物面の一部から成る補助反射面を設けたことを特徴とする請求項５に記載の発光素子ユニット。
【請求項７】
請求項４〜６のいずれかに記載の発光素子ユニットを光源に備えたことを特徴とする照明器具。
【請求項８】
左右の前記光軸と異なる方向に延びる軸を中心光軸とした反射鏡の反射面が配する前記中心光軸の鉛直角を異ならせ、前記左右の中心光軸による光度ピーク値に差を持たせたことを特徴とする請求項７に記載の照明器具。
【発明の詳細な説明】
【技術分野】
【０００１】
本発明は、発光素子を光源に備えた発光素子ユニット、及び照明器具に関する。
【背景技術】
【０００２】
道路用（トンネル用を含む）の照明器具では、ＬＥＤの高輝度化に伴いＬＥＤを光源とした器具が開発されている。この種の照明器具の光源は、一般に、複数個のＬＥＤを基板に並べて構成されている（例えば、特許文献１参照）。このＬＥＤは、個々に１個の回路部品として扱われ、互いに独立して発光制御可能なデバイスであり、反射面内にＬＥＤ素子を配置した表面実装型ＬＥＤ等が好適に用いられている。
【先行技術文献】
【特許文献】
【０００３】
【特許文献１】特開２０１１−１８７３０４号公報
【発明の概要】
【発明が解決しようとする課題】
【０００４】
しかしながら、上記従来の構成では、道路の形状に応じた光度軸を個々のデバイスに持たせることは困難である。そこでアクリルなどの樹脂製レンズを設けて配光制御することも考えられる。
しかしながら、より大光量が必要とされる用途において光源に高出力の発光素子モジュールを用いる場合には、当該発光素子モジュールは発熱量が多くレンズが高温となるため、レンズ材の変形や物性変化などの不具合を生じやすくなるので、アクリルなどの耐熱温度が比較的低い汎用樹脂製レンズを用いることができない。また高出力の発光素子モジュールに代えて、発光素子及びレンズを多数設けて大光量を実現する場合には、部品点数及びコストが増加してしまう。
【０００５】
本発明は、上述した事情に鑑みてなされたものであり、良好な放熱性を有し、かつ光度軸の設計が容易な発光素子ユニット、及び照明器具を提供することを目的とする。
【課題を解決するための手段】
【０００６】
上記目的を達成するために、本発明は、発光素子と、前記発光素子の光軸の基点から当該光軸と異なる方向に延びる軸を中心光軸とする反射鏡の反射面を、回転放物面の一部で形成したことを特徴とする発光素子ユニットを提供する。
【０００７】
また本発明は、上記発光素子ユニットにおいて、前記回転放物面の一部で形成された反射面の焦点を前記発光素子の発光部の中心に合わせたことを特徴とする。
【０００８】
また本発明は、上記発光素子ユニットにおいて、前記中心光軸を同じくしつつ前記回転放物面が異なる複数の反射鏡の反射面を備えることを特徴とする。
【０００９】
また本発明は、上記発光素子ユニットにおいて、前記回転放物面を、底部が前記発光部を横断するように設定したことを特徴とする。
【００１０】
また本発明は、上記発光素子ユニットにおいて、前記発光素子の左右のそれぞれに、前記回転放物面の一部から成る反射面を設け、前記発光素子の直射光と、左右の前記反射面とで前記発光素子の左右に延びる横長の照射領域を照射することを特徴とする。
【００１１】
また本発明は、上記発光素子ユニットにおいて、前記発光素子の左右のそれぞれに、前記反射鏡の反射面の中心光軸の方向と反対方向に延びる中心光軸とした回転放物面の一部から成る補助反射面を設けたことを特徴とする。
【００１２】
また本発明は、上記のいずれかに記載の発光素子ユニットを光源に備えたことを特徴とする照明器具を提供する。
【００１３】
また本発明は、上記の照明器具において、左右の前記光軸と異なる方向に延びる軸を中心光軸とした反射鏡の反射面が配する前記中心光軸の鉛直角を異ならせ、前記左右の中心光軸による光度ピーク値に差を持たせたことを特徴とする。
【発明の効果】
【００１４】
本発明によれば、発光素子の光軸の基点から当該光軸と異なる方向に延びる軸を中心光軸とする反射鏡の反射面を、回転放物面の一部で形成したため、回転放物面の中心光軸に基づく光度軸の設計が容易となる。また反射面により配光を制御するからレンズ等の透過型光学系に比べて良好な放熱性が得られる。
【図面の簡単な説明】
【００１５】
【図１】本発明の実施形態に係るＬＥＤユニットの正面図である。
【図２】反射板の構成を示す図であり、（Ａ）は正面図、（Ｂ）は上面図、（Ｃ）は下面図、（Ｄ）は左側面図、（Ｅ）は右側面図、（Ｆ）は背面図である。
【図３】ＬＥＤユニットの配光特性を示す配光曲線の概略図である。
【図４】第１光軸形成反射面、及び第２光軸形成反射面を説明するための平面視図である。
【図５】第１光軸形成反射面、及び第２光軸形成反射面を説明するための斜視図である。
【図６】発光部と回転放物面の関係を示す図である。
【図７】ＬＥＤユニットを光源に備えたトンネル照明器具の模式図である。
【発明を実施するための形態】
【００１６】
以下、図面を参照して本発明の実施形態について説明する。
［ＬＥＤユニット］
図１は本実施形態に係るＬＥＤユニット１の正面図である。
ＬＥＤユニット１は、これらの図に示すように、大別すると、光源たるＬＥＤモジュール２と、このＬＥＤモジュール２の周囲を囲む反射鏡４とを備え、ＬＥＤモジュール２の直射光と、反射鏡４の反射光とによって、左右に長い横長の照射野を照射する、いわゆる横長配光を有する。
ＬＥＤモジュール２は、実装基板たる矩形板状のＬＥＤ基板６と、このＬＥＤ基板６に実装されたＬＥＤチップ８とを備えている。ＬＥＤ基板６の材質は、ＬＥＤチップ８の投入電力、及び発熱量に基づいて、このＬＥＤチップ８を十分に放熱する熱伝導性、及び電気的な絶縁を図れる電気絶縁性を有する材料から選定されている。例えばＬＥＤ基板６にはセラミックを基材とした基板、或いはアルミニウム等の金属基板に絶縁皮膜を施した基板が用いられている。
【００１７】
ＬＥＤチップ８は、多数のＬＥＤを密集配置して正面視略円形（四角形も有り得る）の面状の発光部１０を形成したチップオンボード（ＣＯＢ）構造のＬＥＤデバイスである。この面状の発光部１０は、この面に略垂直な方向に光軸Ｆを有し、この光軸Ｆの方向に最大ピークを有する、いわゆるランバート出射光度分布を持っている。
一般に、チップオンボード構造のＬＥＤデバイスは、多数のＬＥＤが密集配置されていることから大光量で輝度が高く、光出力も大きい。このようなＬＥＤチップ８を光源に備えることで、大光量のユニットが構成される。
【００１８】
この明細書では、光軸Ｆと発光部１０の交点、すなわち発光部１０の中心を光軸Ｆの基点Ｏと定義する。また、この光軸ＦをＺ軸とし、基点Ｏを原点とする直交ＸＹＺ座標系のＸ軸の方向を左右方向、Ｙ軸の方向を上下方向と定義する。
【００１９】
図２は、反射鏡４の構成を示す図であり、図２（Ａ）は正面図、図２（Ｂ）は上面図、図２（Ｃ）は下面図、図２（Ｄ）は左側面図、図２（Ｅ）は右側面図、及び図２（Ｆ）は背面図である。
反射鏡４は、上述のように、発光部１０の上下左右のそれぞれに設けた上反射板１５、下反射板１６、左反射板１７、及び右反射板１８を有し、これらによって発光部１０の四方が囲まれている。この反射鏡４には、例えば樹脂やアルミダイカスト成型品にアンダーコート、アルミ蒸着、トップコート加工を施したものが用いられており、その反射率は８０〜８５％程度である。
上反射板１５、及び下反射板１６は互いに一体となって光軸Ｆを挟んだ左右の両側に、この光軸Ｆと異なる方向に延びる光度軸Ｋ１、Ｋ２を配するための光学部材である。また左反射板１７は右側に延びる光度軸Ｋ１の光を反射光によって補い、右反射板１８は左側に延びる光度軸Ｋ２の光を反射光によって補う光学部材である。
【００２０】
図３はＬＥＤユニット１の配光特性を示す配光曲線の概略図である。なお、この図３には図１のＩ−Ｉ線を含む鉛直面内の配光を示している。
この図に示すように、ＬＥＤユニット１は、光軸Ｆの基点Ｏから左右の両側に鉛直角α１、α２で延びる光度軸Ｋ１、Ｋ２を配置した配光特性を有している。このＬＥＤユニット１では、光度軸Ｋ１、Ｋ２の鉛直角α１、α２、及び光量を異ならせることで、これら光度軸Ｋ１、Ｋ２の光度ピーク値に差を持たせており、右側の光度軸Ｋ１が最大光度軸となり、かつ鉛直角α１＞鉛直角α２となるようにＬＥＤモジュール２の配光が制御されている。
なお、光度軸Ｋ１、Ｋ２の光量、及び、鉛直角α１、α２は、ＬＥＤユニット１の用途に応じて適宜に変更可能である。
【００２１】
このＬＥＤユニット１では、反射鏡４の上反射板１５、下反射板１６、左反射板１７、及び右反射板１８のそれぞれが、光度軸Ｋ１、Ｋ２を中心光軸とした回転放物面の一部で形成した反射面を含み、これによって配光に光度軸Ｋ１、Ｋ２を有するように成されている。
以下、この構成の反射鏡４について更に詳述する。
【００２２】
上反射板１５、及び下反射板１６は、図１に示すように、光軸Ｆの右側に第１光軸形成反射面３０、３１、３２を有し、左側に第２光軸形成反射面４０、４１、４２を有している。
第１光軸形成反射面３０、３１、３２のそれぞれは、光度軸Ｋ１を中心光軸とし、互いに大きさが異なる回転放物面Ｈ１（図４、図５）から一部を切り出して形成した面形状を成し、また同様に第２光軸形成反射面４０、４１、４２のそれぞれは光度軸Ｋ２を中心光軸とし、互いに大きさが異なる回転放物面Ｈ２（図４、図５）から一部を切り出して形成した面形状を成している。
【００２３】
図４、及び図５は第１光軸形成反射面３０、３１、３２、及び第２光軸形成反射面４０、４１、４２の説明図であり、図４は平面視図、図５は斜視図である。なお、これら図４、図５では、発明の理解を容易にするために、光度軸Ｋ１、及び光度軸Ｋ２を左右対称とした場合を示している。
ＬＥＤユニット１では、図４（Ａ）、及び図５（Ａ）に示すように、２本の光度軸Ｋ１、Ｋ２が発光部１０の光軸Ｆの基点Ｏから当該光軸Ｆを挟んで反対方向に延びる。このとき、各光度軸Ｋ１、Ｋ２を中心光軸とし、かつ放射方向が開放する上述の回転放物面Ｈ１、Ｈ２を反射鏡とすれば、発光部１０の放射光を光度軸Ｋ１、Ｋ２に２分して出射できる。
さらに回転放物面Ｈ１、Ｈ２の一部で形成した反射面の焦点を発光部１０の中心である基点Ｏに合わせることで発光部１０の放射光が光度軸Ｋ１、Ｋ２の方向に精度良く反射によって配光される。
係る回転放物面Ｈ１、Ｈ２をＬＥＤユニット１に設ける際には、図４（Ｂ）、及び図５（Ｂ）に示すように、ＬＥＤモジュール２のＬＥＤ基板６を含む平面よりも発光部１０の側を残すように当該平面と交差する線２３に沿って回転放物面Ｈ１、Ｈ２をカットする。
【００２４】
図４（Ｂ）、及び図５（Ｂ）の構成によれば、光度軸Ｋ１、Ｋ２の２方向をスポット的に照射できるものの、光軸Ｆの方向は回転放物面Ｈ１、Ｈ２によって覆い隠されることから例えば道路照明等に用いて好適な横長な配光にはならない。
そこで、このＬＥＤユニット１では、発光部１０が露出するように、回転放物面Ｈ１、Ｈ２の内面が露出するように平面視で開放させている。
【００２５】
すなわち、図４（Ｃ）、及び図５（Ｃ）に示すように、発光部１０を露出させる開放をつくるように、例えばＬＥＤ基板６に平行な平面で、当該ＬＥＤ基板６から所定の距離離れた位置で当該平面と交差する線２４に沿って回転放物面Ｈ１、Ｈ２をカットする。これにより発光部１０が露出することで、２つの光度軸Ｋ１、Ｋ２で挟まれた光軸Ｆの方向が発光部１０の直射光によって照射されることとなり、横に長い照射野が得られることとなる。
このとき、回転放物面Ｈ１から切り出された切出面Ｍａが上下に完全に分離し、同様に回転放物面Ｈ２から切り出された切出面Ｍｂが上下に完全に分離するようにカットすることで、横長の照射野の中に影を生じさせることがなく均斉度が高められる。
【００２６】
回転放物面Ｈ１の切出面Ｍａ、及び回転放物面Ｈ２の切出面Ｍｂの左右の開放端側の端部は、図４（Ｃ）、及び図５（Ｃ）に示すように、ＬＥＤ基板６に略垂直な平面と交差する線２５に沿ってカットされる。このときのカット位置は、例えば配光設計や器具設計に基づき適宜に決定される。
【００２７】
これら回転放物面Ｈ１の切出面Ｍａ、及び回転放物面Ｈ２の切出面Ｍｂを、第１光軸形成反射面、及び第２光軸形成反射面として反射鏡４の上反射板１５、及び下反射板１６に設けることで、ＬＥＤモジュール２の放射光が光度軸Ｋ１、Ｋ２に配光される。
このＬＥＤユニット１では、上反射板１５、及び下反射板１６には、単一の回転放物面Ｈ１、Ｈ２から切り出した面だけではなく、中心光軸を同じくしつつ大きさが互いに異なる複数の回転放物面Ｈ１、Ｈ２から切り出した面を、それぞれ第１光軸形成反射面３０、３１、３２、及び第２光軸形成反射面４０、４１、４２として設けることで、光度軸Ｋ１、Ｋ２に効率良く光が配光されるようになっている。
さらに、この上反射板１５、及び下反射板１６には、図１に示すように、照射野の均斉度を高めるように配光制御する配光制御面３４、３５、３６、３７が適宜に設けられている。
【００２８】
ここで、回転放物面Ｈ１、及び回転放物面Ｈ２の切り出し方によっては、図４（Ｃ）に示すように、ＬＥＤチップ８の発光部１０に迫り出して被る突出部２７が生じることがある。この構成においては、発光部１０から光軸Ｆに向かって放射される比較的強い光が突出部２７で反射されてしまうから、その分、光軸Ｆの方向の光量（直射光の光量）が低下することになる。また当該反射によって反射率に応じた光量のロスも生じることから、ＬＥＤユニット１の効率も低下する。
そこで、この反射鏡４にあっては、図４（Ｃ）において発光部１０に被る突出部２７を、図１に示すように、外側（平面視で発光部１０から遠ざかる方向）に向かって凹ませる等して当該発光部１０に被らない形状の非突出部２８としている。これにより、発光部１０から光軸Ｆに沿って出射された比較的強い光が直接光として照明に利用され、光軸Ｆの方向の光量低下の抑制、及び効率向上が図られている。
特にＬＥＤユニット１を道路灯の光源とした場合、光軸Ｆが道路面内方向を向き、路面の目標領域に直達する光は遮らずそのまま利用し、目標領域へ直達しない光は、第１光軸形成反射面３０、３１、３２、及び第２光軸形成反射面４０、４１、４２で進行方向を換え、目標領域へ到達することとなり光学効率の高い光源が実現される。
【００２９】
ところで、光度軸Ｋ１、Ｋ２を作る回転放物面Ｈ１、Ｈ２の設定に際し、焦点が基点Ｏに位置する回転放物面は無数に存在する。
例えば、図６に示すように、発光部１０を平面視した場合、この発光部１０を内側に内包する回転放物面Ｈａと、底部４８が発光部１０を横断してはみ出す回転放物面Ｈｂとのそれぞれが設定できる。しかしながら、回転放物面Ｈａは、回転放物面Ｈｂよりも大きくなることからＬＥＤユニット１が大型化し、また発光部１０の光軸Ｆからの距離ｒも遠くなるため、同じ高さにカットした反射面で比較すると、直射領域が道路幅方向に無駄に広くなり、かつ反射光成分も少なくなり、効率が良い配光設計とは言えない。
そこで、このＬＥＤユニット１にあっては、回転放物面Ｈ１、Ｈ２の設定に際しては、底部４８が発光部１０を横断するように回転放物面Ｈｂを設定することで、光度軸Ｋ１、Ｋ２の方向の光量を効率良く高め、かつ小型化を可能にしている。
【００３０】
前掲図１、及び図２に戻り、反射鏡４の左反射板１７、及び右反射板１８は、それぞれ左右方向に向かう光を光度軸Ｋ１、Ｋ２の方向に反射することで光量を補うものである。具体的には、左反射板１７は、右方向に延在する光度軸Ｋ１を中心光軸とする回転放物面の一部から成る第１光度軸形成補助反射面２２Ａを有し、同様に右反射板１８は、左方向に延在する光度軸Ｋ２を中心光軸とした回転放物面の一部から成る第２光度軸形成補助反射面２２Ｂを有する。
第１、及び第２光度軸形成補助反射面２２Ａ、２２Ｂの回転放物面Ｈ３は、図６に示すように、発光部１０の基点Ｏを焦点とし、中心光軸とする光度軸Ｋ１、Ｋ２の方向に開放し、少なくとも発光部１０を内包する大きさの回転放物面である。
これにより、発光部１０から左右に放射される光が第１、及び第２光度軸形成補助反射面２２Ａ、２２Ｂによって光度軸Ｋ１、Ｋ２の方向に反射されて光量が効果的に補われる。
【００３１】
［トンネル照明器具］
ＬＥＤユニット１は、上述の通り、横長な範囲を均斉度よく照射可能であるから、道路照明器具の光源に好適に用いることができる。特に、前掲図３で示すように、このＬＥＤユニット１は、光度軸Ｋ１、Ｋ２を互いに独立して、かつ、４５度を超えるような比較的大きな鉛直角α１、α２に設定できることから、トンネル照明器具の光源に用いて好適である。
【００３２】
図７は、このＬＥＤユニット１を光源に備えたトンネル照明器具５０の模式図である。
トンネル照明器具５０は、灯具ケース５１を備え、この灯具ケース５１には、ＬＥＤユニット１が左右方向を道路の交通方向Ｎに合わせて収められる。なお、複数個のＬＥＤユニット１を灯具ケース５１に設けても良いことは勿論である。また、灯具ケース５１には、ＬＥＤユニット１の駆動回路や電源回路など、一般的なトンネル照明器具が備える要素を備えている。
【００３３】
トンネル照明器具５０は、道路５５の路面５６を照射するようにトンネルの内壁面（図示せず）に設置される。ＬＥＤユニット１は、左右の光度軸Ｋ１、Ｋ２の鉛直角α１、α２が異なることで、左右非対称の配光を有し、本実施形態では、車両５７の進行方向Ｓに向かう光度軸Ｋ１の鉛直角α１が約４５°以上に設定され、これと反対方向の光度軸Ｋ２の鉛直角α２は約３０°程度に設定されることで、いわゆるプロビーム照明が成されている。
【００３４】
また光源のＬＥＤユニット１にあっては、上述の通り、左右の光度軸Ｋ１、Ｋ２の鉛直角α１、α２をそれぞれ独立して設定でき、また路面５６に沿った横長の照射範囲５８の全域を照射できることから、例えばトンネルへのトンネル照明器具５０の取付間隔等に応じて鉛直角α１、α２を自由に設定し、対称や非対称の配光の光源を簡単に構成できる。
【００３５】
具体的には、器具取付け間隔を長くできる光源を作る場合、大きな鉛直角で強い光度ヒ一クができるような光学系を光源に設ける必要がある。そこでＬＥＤモジュール２にあっては、ＬＥＤチップ８の光軸Ｆの方向(器具正面方向)に最も高い光束が出ているため、光軸Ｆの方向に反射面を設け、この反射面の反射光で上記の光度ピークを作れば、比較的容易に光度ピーク値の鉛直角を大きくできる。
しかしながら、この構成では、強度が高い路面直達光を反射面で遮り、反射面吸収による強度低下を伴いながら、同じ路面５６のトンネル照明器具５０から遠くを照射することとなり、器具全体として光効率が悪くなる。さらに光軸Ｆの付近の光を遮ると、器具直下への光を完全にカットするため、器具直下の照度が不足する。そこで良好な配光を得るために、他の反射面から器具直下への光を補わなければならなくなり、光利用効率の点では効率が悪い。
【００３６】
これに対して、このＬＥＤユニット１によれば、発光部１０を反射鏡４が覆うことがなく、かつ、第１光軸形成反射面３０、３１、３２、及び第２光軸形成反射面４０、４１、４２の回転放物面Ｈ１、Ｈ２は、その底部４８が発光部１０を横断するように回転放物面Ｈｂに設定されているため、器具直下の照度を維持しつつ、光度軸Ｋ１、Ｋ２の方向の光量が効率良く高められる。
【００３７】
さらに、このＬＥＤユニット１にあっては、ＬＥＤモジュール２のＬＥＤチップ８を挟んだ左右に、当該ＬＥＤチップ８から左右に放射される光を反射して光度軸Ｋ１、Ｋ２の光量を補う第１、及び第２光度軸形成補助反射面２２Ａ、２２Ｂを有する。
これにより、光度軸Ｋ１、Ｋ２の光量の補強効果に加え、灯具ケース５１に収めたＬＥＤユニット１の光束が灯具ケース５１の内壁面によって遮蔽され難くできるという効果も奏し、器具効率が高められる。
【００３８】
以上説明したように、本実施形態によれば、ＬＥＤモジュール２が備えるＬＥＤチップ８の発光部１０の光軸Ｆの基点Ｏから当該光軸と異なる方向に延びる軸を中心光軸とする第１光軸形成反射面３０、３１、３２、及び第２光軸形成反射面４０、４１、４２を回転放物面Ｈ１、Ｈ２の一部で形成したため、回転放物面Ｈ１、Ｈ２の中心光軸に基づく光度軸Ｋ１，Ｋ２の設計が容易となる。また第１光軸形成反射面３０、３１、３２、及び第２光軸形成反射面４０、４１、４２により配光を制御するからレンズ等の透過型光学系に比べて良好な放熱性が得られる。
【００３９】
また本実施形態によれば、回転放物面Ｈ１、Ｈ２の一部で形成された第１光軸形成反射面３０、３１、３２、及び第２光軸形成反射面４０、４１、４２の焦点を発光部１０の中心たる基点Ｏに合わせる構成とした。これにより、発光部１０の放射光が光度軸Ｋ１、Ｋ２の方向に精度良く反射によって配光される。
【００４０】
また本実施形態によれば、反射鏡４には、中心光軸を同じくしつつ回転放物面Ｈ１、Ｈ２の大きさが異なる第１光軸形成反射面３０、３１、３２、及び第２光軸形成反射面４０、４１、４２を設けたため、光度軸Ｋ１、Ｋ２に効率良く光を配光できる。
【００４１】
また本実施形態によれば、回転放物面Ｈ１、Ｈ２を、その底部４８が発光部１０を横断するように設定した。これにより、光度軸Ｋ１、Ｋ２の方向の光量が効率良く高められ、かつ第１光軸形成反射面３０、３１、３２、及び第２光軸形成反射面４０、４１、４２の小型化が可能になる。
【００４２】
また本実施形態によれば、ＬＥＤモジュール２が備えるＬＥＤチップ８の左右のそれぞれに、第１光軸形成反射面３０、３１、３２、及び第２光軸形成反射面４０、４１、４２を備え、ＬＥＤチップ８の直射光と、左右の第１光軸形成反射面３０、３１、３２、及び第２光軸形成反射面４０、４１、４２とで左右に延びる横長の領域を照射する構成とした。この構成により、光度軸Ｋ１、Ｋ２の設定（特に鉛直角の設定）が容易な横長配光のＬＥＤユニット１が得られる。
【００４３】
また本実施形態によれば、ＬＥＤモジュール２が備えるＬＥＤチップ８の左右のそれぞれに、反対側に延びる光度軸Ｋ１、Ｋ２を中心光軸とした回転放物面Ｈ３の一部から成る第１、及び第２光度軸形成補助反射面２２Ａ、２２Ｂを設ける構成とした。
この構成により、ＬＥＤチップ８から左右に放射されて所望の照射領域の外に向かう放射光を第１、及び第２光度軸形成補助反射面２２Ａ、２２Ｂで反射し、光度軸Ｋ１、Ｋ２の光量を効率良く高めることができる。
【００４４】
また、本実施形態によれば、上記ＬＥＤユニット１を光源に備え、左右の第１光軸形成反射面３０、３１、３２、及び第２光軸形成反射面４０、４１、４２が配する光度軸Ｋ１、Ｋ２の鉛直角α１、α２を異ならせたトンネル照明器具５０を構成した。
この構成により、ＬＥＤユニット１が横長の配光を有することから、道路５５の路面５６に沿った横長の照射範囲５８を照射でき、また路面５６に沿ったトンネル照明器具５０の器具取付け間隔に合わせて鉛直角α１、α２を容易に設定できる。また例えば鉛直角α１、α２を４５°以上に設定することで、器具取付け間隔が一般的なものよりも長くできる。また、より良い均斉度を得るために、光度軸Ｋ１，Ｋ２を図４の正面からみて上、又は下方向にも数十度程度方向を変えて設計することもできる。
【００４５】
また、ＬＥＤユニット１は、このような鉛直角α１、α２の光度軸Ｋ１、Ｋ２を有する配光を備えるため、トンネル照明器具５０にあっては、例えば器具内で光源を所望の方向に光を放射するようにエイミング設置したり、光度軸Ｋ１、Ｋ２を作るための複数種の光学系を別途に備える必要がなく、部品、加工点数が少なく、組立性が良好なトンネル照明器具５０が得られる。
さらに、ＬＥＤユニット１の搭載数や、個々のＬＥＤユニット１のＬＥＤモジュール２の駆動電力を調整し、トンネル照明器具５０の光束をコントロールするだけで、光出力が異なる製品のラインナップが容易となる。
【００４６】
なお、上述した実施形態は、あくまでも本発明の一態様を例示するものであって、本発明の趣旨を逸脱しない範囲で任意に変形、及び応用が可能である。
例えば、上述した実施形態において、ＬＥＤユニット１は、トンネル照明器具５０の他にも、トンネル以外の道路を照明する道路灯の光源、さらには、道路照明以外の用途の照明器具にも好適に用いることができる。
また例えば、ＬＥＤユニット１の反射鏡４は、第１光軸形成反射面３０、３１、３２、及び第２光軸形成反射面４０、４１、４２の全ての反射面を備える必要はなく、発光部１０の光軸Ｆと異なる方向に光度軸を配する配光が得られる構成であれば、これらのうちの少なくとも１つの反射面を有すれば良い。
また例えば、本発明に係る発光素子ユニットは、ＬＥＤチップ８に代えて有機ＥＬなどの任意の発光素子を用いて構成することができる。
【符号の説明】
【００４７】
１  ＬＥＤユニット（発光素子ユニット）
４  反射鏡
６  ＬＥＤ基板
８  ＬＥＤチップ（発光素子）
１０  発光部
１５  上反射板
１６  下反射板
１７  左反射板
１８  右反射板
３０、３１、３２  第１光軸形成反射面
４０、４１、４２  第２光軸形成反射面
２２Ａ  第１光度軸形成補助反射面
２２Ｂ  第２光度軸形成補助反射面
２３、２４、２５  輪郭線
４８  回転放物面の底部
５０  トンネル照明器具（照明器具）
５８  照射範囲
Ｆ  光軸
Ｈ１、Ｈ２、Ｈ３、Ｈａ、Ｈｂ  回転放物面
Ｋ１、Ｋ２  光度軸（中心光軸）
Ｏ  基点
α１、α２  鉛直角
【図１】
2015090768.tif 000003
【図２】
2015090768.tif 000004
【図３】
2015090768.tif 000005
【図４】
2015090768.tif 000006
【図５】
2015090768.tif 000007
【図６】
2015090768.tif 000008
【図７】
2015090768.tif 000009